(57)【要約】      （修正有）【課題】鉛筆の断面形状に応じて拡開し得るとともに、異なる軸形状（断面形状、軸径等）の鉛筆でも保持力を一定に保つことが可能なスリットを有する鉛筆ホルダ及びそれを備えた筆入れを提供する。【解決手段】鉛筆の軸部を嵌合保持する軸保持部１２と、鉛筆の先端の芯先周辺を保持する先端保持部１１と、を備えてなり、軸保持部１２は、鉛筆の軸部の側面を上方から押える上方押え部１３と、鉛筆の軸部の側面を下方から押える下方押え部１４と、が長手方向に配設してなり、上方押え部１３は、上方押え部１３の一部を長手方向にかけて傾斜するよう切り欠いて形成された傾斜スリット１３ａを有する。【選択図】図１
0003223484.tif 000002
【実用新案登録請求の範囲】
【請求項１】
鉛筆の軸部を嵌合保持する軸保持部と、鉛筆の先端の芯先周辺を保持する先端保持部と、を備えてなり、
前記軸保持部は、鉛筆の軸部を上方から押える上方押え部と、鉛筆の軸部を下方から押える下方押え部と、が配設してなり、
前記上方押え部は、前記上方押え部の一部を前記軸部の長手方向にかけて傾斜するよう切り欠いて形成された傾斜スリットを有することを特徴とする鉛筆ホルダ。
【請求項２】
上方押え部は、傾斜スリット近傍の内周面上から軸保持部の中心方向に向かって突出して形成された一対の凸部を有することを特徴とする請求項１記載の鉛筆ホルダ。
【請求項３】
下方押え部は、下方押え部の内周面より直上方向に突出して形成した台座部を有することを特徴とする請求項１記載の鉛筆ホルダ。
【請求項４】
請求項１ないし３のいずれか一項に記載の鉛筆ホルダを備えたことを特徴とする筆入れ。
【考案の詳細な説明】
【技術分野】
【０００１】
本考案は、鉛筆を保持するための鉛筆ホルダ及びそれを備えた筆入れに関する。
【背景技術】
【０００２】
従来、学習用に用いられている鉛筆は、軸部の断面形状が六角形、三角形、円形等で（最大の）軸径が７．５ｍｍから８．０ｍｍ程度の軸形状ものが使用されており、それらの異なる軸形状の鉛筆を保持することを可能にする種々の鉛筆キャップ又は鉛筆ホルダが提案されている。
【０００３】
例えば、特許文献１に記載された鉛筆用キャップ（０１）には、当該鉛筆用キャップ（０１）の後半部分にスリット（１３）を設けることで、弾性作用により保持性を向上したものが開示されている。
【０００４】
また、特許文献２に記載された鉛筆ホルダ１の軸保持部３１の外面には、キャップ３の長手方向のスリット３４を形成することで、大きな形状を有する鉛筆がキャップ３に挿入されても、キャップ３の後部の径方向の拡がりを抑制しながらも、鉛筆の断面形状に応じて適度に開くことよって断面形状の違いによる嵌合力のバラツキを低減したものが開示されている。
【先行技術文献】
【特許文献】
【０００５】
【特許文献１】特開２００７―４５０９０号公報
【特許文献２】特開２０１６−３７０１２号公報
【考案の概要】
【考案が解決しようとする課題】
【０００６】
しかしながら、上述した鉛筆用キャップや鉛筆ホルダの長手方向に沿ったスリットが設けられているため、三角形状、六角形状の鉛筆の角部付近がスリットのところに位置する場合には、鉛筆キャップが鉛筆の軸部の断面形状に応じて拡開されることなく、鉛筆キャップと鉛筆との間に空隙が生じて、鉛筆の保持力が低下する欠点を有するものである。
【０００７】
本考案は、上述した課題に鑑みて、鉛筆の軸形状（断面形状、軸径等）に応じて拡開し得るとともに、とりわけ、異なる軸形状の鉛筆でも保持力を一定に保つことが可能なスリットを有する鉛筆ホルダ及びそれを備えた筆入れを提供することを目的とする。
【課題を解決するための手段】
【０００８】
上記課題に鑑み、本考案は、鉛筆の軸部を保持する軸保持部と、鉛筆の先端の芯先周辺を保持する先端保持部と、を備えてなり、前記軸保持部は、鉛筆の軸部を上方から押える上方押え部と、鉛筆の軸部を下方から押える下方押え部と、が配設してなり、前記上方押え部は、前記上方押え部の一部を前記軸部の長手方向にかけて傾斜するよう切り欠いて形成された傾斜スリットを有することを特徴とするものである。
【０００９】
また、上述した構成に加え、上方押え部は、傾斜スリット近傍の内周面上から軸保持部の中心方向に向かって突出して形成された一対の凸部を有することが好ましい。
【００１０】
また、上述した構成に加え、下方押え部は、下方押え部の内周面より直上方向に突出して形成された台座部を有することが好ましい。
【００１１】
また、上述した鉛筆ホルダを備えたことを特徴とする筆入れである。
【考案の効果】
【００１２】
請求項１−３記載の考案によれば、傾斜スリットによって軸保持部を拡開し得ることで異なる形状の軸部を有する鉛筆を保持させることができるとともに、上方押え部と下方押え部により軸保持部全体の保持力を向上させ、傾斜スリット及び傾斜スリット間の一対の凸部によって鉛筆の角部周辺を当接して保持力を保つことが可能である。
【００１３】
請求項４記載の考案によれば、鉛筆ホルダを備えた筆入れを机上にて横方向に向けて設置するような状態において、鉛筆ホルダから鉛筆を引く抜く際に傾斜スリットが鉛筆を手前方向に案内するため、使用者側に鉛筆を自然と引き抜くことが可能な筆入れを提供することが可能である。
【図面の簡単な説明】
【００１４】
【図１】本考案の実施形態の鉛筆ホルダの一例を示す正面図である。
【図２】図１のA−A線断面図である。
【図３】図１のB−B線断面図である。
【図４】図１の鉛筆ホルダに鉛筆を嵌合保持させた状態を示す正面図である。
【図５】図４のC−C線断面図である。
【図６】図４のD−D線断面図である。
【図７】図４のE−E線断面図である。
【図８】図４のF−F線断面図である。
【図９】図１の鉛筆ホルダを備えた筆入れを示す平面図である。
【考案を実施するための形態】
【００１５】
本考案の実施形態に係る鉛筆ホルダ１０及びそれを備えた筆入れ３０の一例について図１−９に基づいて詳細に説明する。
【００１６】
(実施形態)
鉛筆ホルダ１０は、鉛筆２０の軸部２１を保持する全体が略筒形状の軸保持部１２と、鉛筆２０の先端の芯先２３周辺を保持する先端保持部１１と、を並列に配設して一体形成されたものである。本実施形態では６列を一体形成し、鉛筆を最大で６本保持するものであるが、列数はこれに限定されない。
【００１７】
先端保持部１１は、鋭利に切削された鉛筆２０の芯先２３と、芯先２３付近を被覆して保持するものであり、芯先２３付近に位置する箇所の一部を開口することで芯先２３の先端の尖りを確認し得るのぞき孔１１ａを有するものである。
【００１８】
軸保持部１２は、鉛筆２０の軸部２１を保持するものであり、鉛筆２０の軸部２１の側面を上方から押える略半円筒形状の上方押え部１３と、鉛筆２０の軸部２１の側面を下方から押える略半円筒形状の下方押え部１４と、が長手方向Xに互い違いに配設され、嵌り合うように保持されるものである。（特に図１―３参照）。本実施形態では、軸保持部１２のうち上方押え部１３が軸部２１の一部を上方から覆うように位置し、その先端側に下方押え部１４が配置される。
【００１９】
上方押え部１３は、図１に示すように、その上方押え部１３の上面を一点鎖線であるスリット中心線方向Yに傾斜しながら切り欠くように形成された傾斜スリット１３aを有するものであり、軸部２１の長手方向Xに対してスリット中心線方向Yの交差する角度θは、長手方向Xに対して概ね１０度をなし左側に傾いて形成したものである。また、この上方押え部１３の内周面上には、長手方向Xとスリット中心線方向Yとが交差する付近の近傍において、鉛筆２０の軸部２１と当接するために、上方押え部１３の内周面上から軸保持部１２の中心方向に向かって丸みを帯びて突出して形成された略半球状の一対の凸部１３ｂ、１３ｂを有するものである。
【００２０】
また、この凸部１３ｂ、１３ｂは、図１に示すように、左右両端側に位置する上方押え部１３において、傾斜スリット１３ａの全体に沿って一対の略棒状に突出するように形成することで、他の上方押え部１３と隣接していない上方押え部１３の強度をより一層高めるとともに、凸部１３ｂ、凸部１３ｂが鉛筆２０の軸部２１に対して巻き付けるように押さえて保持することが可能である。
【００２１】
下方押え部１４は、下方押え部１４の内周面より直上方向に突出して形成した略楕円柱形状の台座部１４ａを有するものであり、この台座部１４ａによって鉛筆２０の軸部２１の下方の側面全体をやや上方に押し上げることで、上方押え部１３の一対の凸部１３ｂ、１３ｂに対して直上に位置する鉛筆２０の角部２２周辺の側面を密接させることで軸保持部１２全体の保持力をより一層向上させることが可能である。
【００２２】
次に、上述した構成の鉛筆ホルダ１０に、軸部２１の断面形状が六角形状及び三角形状の軸形の鉛筆２０をそれぞれ軸保持部１２に差し込み、鉛筆２０の角部２２の一つが直上に位置した状態で保持した状態を図４−８に基づいて詳細に説明する。
【００２３】
図４−８の左側には六角形状の鉛筆２０ａを保持させた状態を示すものであり、この六角形状の鉛筆２０ａの角部２２の一つを直上に位置するように鉛筆ホルダ１０に保持させた場合、その角部２２は、傾斜スリット１３ａの中央付近に重なって位置する部分において、上方押え部１３の内周面に対して接触しないが、傾斜スリット１３ａの近傍の内周面側に突出した一対の凸部１３ｂ、１３ｂによってこの角部２２周辺に当接する（特に図７参照）。
【００２４】
この直上に位置する角部２２は、上方押え部１３の中央付近以外に位置する部分において、図６、８で示すように、上方押え部１３の内周面と当接する。また、下方押え部１４は、図５に示すように、鉛筆２０ａの軸部２１の下方の側面の角部２２に当接するとともに、直下に位置する角部２２が台座部１４ａに当接する。
【００２５】
また、図４−８の右側には三角形状の鉛筆２０ｂを保持させた状態を示すものであり、三角形状の鉛筆２０ｂの角部２２の一つを直上になるように鉛筆ホルダ１０を保持させた場合、その角部２２は、上述した六角形状の鉛筆２０ａと同様に、その角部２２は、傾斜スリット１３ａの中央付近に重なって位置する部分において、上方押え部１３の内周面に対して当接しないが、傾斜スリット１３ａの近傍の内周面側に突出した一対の凸部１３ｂ、１３ｂによってこの角部２２周辺に当接する（特に図７参照）。また、中央付近以外に位置する角部２２は、上方押え部１３の内周面に当接する（図６、８参照）。下方押え部１４は、図５に示すように、鉛筆２０ｂの軸部２１の下方の２つの角部２２に当接する。
【００２６】
したがって、上述した鉛筆ホルダ１０の軸保持部１２は、上方押え部１３の傾斜スリット１３ａによって拡開し得ることで異なる軸形状の軸部２１を有する鉛筆２０を保持させることが可能である。
【００２７】
さらに、この軸保持部１２は、長手方向Xとスリット中心線方向Yとが交差する付近の近傍である上方押え部１３の中央位置において、鉛筆２０の角部２２に対して上方押え部１３の内周面上に形成された一対の凸部１３ｂ、１３ｂが当接することで鉛筆２０の軸部２１の角部２２周辺を斜上方から押圧してより一層の保持力を保つことが可能である。
【００２８】
また、図９は、上述した鉛筆ホルダ１０を備えた筆入れ３０を机上にて横方向に向けて設置するような状態を示しており、鉛筆ホルダ１０から鉛筆２０を引く抜く際に傾斜スリット１３ａが鉛筆２０を手前方向に案内するため、使用者側に自然と鉛筆２０を引き抜くことが可能である。
【００２９】
上記の実施形態では本発明の好ましい実施形態を例示したが、本発明は上記の実施形態に限定されるものではなく、実用新案登録請求の範囲に記載した範囲内で改善や変更が可能である。例えば、本実施形態より多い複数の角部を有する鉛筆に対しても同等の効果を発揮するものであり、鉛筆２０の角部２２の幅に応じて傾斜スリット１３ａのスリット中心線方向Yの角度θを少なくとも１つの角部２２のみ位置し得る程度に変更して形成してもよい。また、上述した筒状は、鉛筆の軸部を保持することが可能なものであればよく、例えば、四角形、六角形等の多角形を底面とするものでもよい。
【符号の説明】
【００３０】
１０…鉛筆ホルダ、X…長手方向、
１１…先端保持部、１１ａ…のぞき孔、
１２…軸保持部、
１３…上方押え部、１３ａ…傾斜スリット、Y…スリット中心線方向、θ…角度、１３ｂ…凸部、
１４…下方押え部、１４ａ…台座部、
２０…鉛筆（２０ａ…六角形状の鉛筆、２０ｂ…三角形状の鉛筆）、２１…軸部、２２…角部、２３…芯先、
３０…筆入れ。
【図１】
0003223484.tif 000003
【図２】
0003223484.tif 000004
【図３】
0003223484.tif 000005
【図４】
0003223484.tif 000006
【図５】
0003223484.tif 000007
【図６】
0003223484.tif 000008
【図７】
0003223484.tif 000009
【図８】
0003223484.tif 000010
【図９】
0003223484.tif 000011